(57)【要約】【課題】ＲＦフィルタとイメージ除去ミキサを併用しても、アッパーヘテロダイン方式受信とローワヘテロダイン方式受信のどちらがイメージ信号のレベルが小さいかを判定できる。【解決手段】イメージ信号レベル検出器１は、受信方式指示部１１の指示を受けてＲＦフィルタ１０１の同調周波数および局部発振器１０２の発振周波数を制御する受信制御部１２と、所望周波数の信号を除去する所望周波数信号除去ミキサ１３の出力をＩＦフィルタ１４を介してレベルを検出するレベル検出部１５と、イメージ除去受信機１００のＩＦ出力のレベルを検出するレベル検出部１６と、レベル検出部１５および１６の出力差を検出する差分検出部１７と、レジスタ１８に格納されたアッパーヘテロダイン方式受信のときの差分検出部１７の出力とレジスタ１９に格納されたローワヘテロダイン方式受信のときの差分検出部１７の出力のどちらが小さいかを判定する判定部２０と、を有する。【選択図】  図１
2008136106.tif 000002
【特許請求の範囲】
【請求項１】
設定された同調周波数の信号を通過させるＲＦフィルタと、設定された発振周波数で発振する局部発振器と、前記ＲＦフィルタの出力信号に前記局部発振器からの直交信号を掛け合わせて受信を希望する所望周波数信号に対するイメージ信号を除去するイメージ除去ミキサと、を備えるイメージ除去受信機におけるイメージ信号レベル検出器であって、
入力信号をアッパーヘテロダイン方式で受信するかローワヘテロダイン方式で受信するかを指示する受信方式指示部と、
前記受信方式指示部の指示にもとづいて前記ＲＦフィルタの同調周波数の設定および前記局部発振器の発振周波数の設定を行う受信制御部と、
前記ＲＦフィルタの出力信号に前記局部発振器からの直交信号を前記イメージ除去ミキサとは逆に掛け合わせて前記所望周波数信号を除去する所望周波数信号除去ミキサと、
前記所望周波数信号除去ミキサからの出力レベルを検出する第１のレベル検出部と、
前記イメージ除去ミキサからの出力レベルを検出する第２のレベル検出部と、
前記第１のレベル検出部の出力と前記所第２のレベル検出部の出力との差を検出する差分検出部と、
前記受信方式指示部によりアッパーヘテロダイン方式での受信が指示されたときの前記差分検出部の出力を格納する第１のレジスタと、
前記受信方式指示部によりローワヘテロダイン方式での受信が指示されたときの前記差分検出部の出力を格納する第２のレジスタと、
前記第１のレジスタに格納された値と前記第２のレジスタに格納された値のどちらが小さいかを判定する判定部と
を有することを特徴とするイメージ信号レベル検出器。
【請求項２】
前記受信制御部は、
前記受信方式指示部によりアッパーヘテロダイン方式での受信が指示されたときに、前記ＲＦフィルタの同調周波数をアッパーヘテロダイン方式受信でのイメージ信号周波数に設定し、
前記受信方式指示部によりローワヘテロダイン方式での受信が指示されたときに、前記ＲＦフィルタの同調周波数をローワヘテロダイン方式受信でのイメージ信号周波数に設定する
ことを特徴とする請求項１に記載のイメージ信号レベル検出器。
【請求項３】
ＲＦフィルタの出力信号が入力されて受信を希望する所望周波数信号に対するイメージ信号を除去するイメージ除去ミキサを備える受信機における、前記所望周波数信号を除去する所望周波数信号除去ミキサを備えるイメージ信号レベル検出器を用いるイメージ信号レベル検出方法であって、
前記受信機をアッパーヘテロダイン方式受信に設定するステップと、
前記ＲＦフィルタの同調周波数をアッパーヘテロダイン方式受信でのイメージ信号周波数に設定するステップと、
前記所望周波数信号除去ミキサからの出力レベルを第１のレベルとして検出し、前記イメージ除去ミキサからの出力レベルを第２のレベルとして検出するステップと、
前記第１のレベルと前記第２のレベルの差を検出して第１の差分値として保存するステップと、
前記受信機をローワヘテロダイン方式受信に切り換えるステップと、
前記ＲＦフィルタの同調周波数をローワヘテロダイン方式受信でのイメージ信号周波数に設定するステップと、
前記所望周波数信号除去ミキサからの出力レベルを第３のレベルとして検出し、前記イメージ除去ミキサからの出力レベルを第４のレベルとして検出するステップと、
前記第３のレベルと前記所第４のレベルの差を検出して第２の差分値として保存するステップと、
前記第１の差分値と前記第２の差分値のどちらが小さいかを判定するステップと
を有することを特徴とするイメージ信号レベル検出方法。
【請求項４】
請求項１または２に記載のイメージ信号レベル検出器を備えるイメージ除去受信機であって、
前記判定部の判定にもとづいてアッパーヘテロダイン方式で受信するかローワヘテロダイン方式で受信するかを決定する
ことを特徴とするイメージ除去受信機。
【請求項５】
前記受信方式指示部から出力されるアッパーヘテロダイン方式で受信するかローワヘテロダイン方式で受信するかの指示が随時切り換わり、その度に前記判定部による判定が行われる
ことを特徴とする請求項４に記載のイメージ除去受信機。
【発明の詳細な説明】
【技術分野】
【０００１】
本発明は、イメージ信号レベル検出器およびイメージ信号レベル検出方法、イメージ除去受信機に関する。
【背景技術】
【０００２】
受信した高周波信号と局部発振器の出力をミキサで混合し、その周波数の差分の中間周波数信号を検波器入力とするヘテロダイン方式の受信機では、所望の周波数の信号のほかにイメージ信号も受信することが問題となる。イメージ信号とは、周波数軸上で局部発振器の周波数を中心として所望周波数と対象な位置の周波数を有する妨害信号のことである。
【０００３】
このイメージ信号を除去する方法として、ミキサの前段にイメージ除去フィルタ（ＲＦフィルタ）を接続することが一般的に行われる。ＲＦフィルタは、所望信号帯域の損失を小さく、イメージ信号帯域での減衰比を大きく設計することにより、イメージ信号を除去する。
【０００４】
また、ミキサをイメージ除去ミキサとする方法もとられる。その一つとして、ハートレー型イメージ除去ミキサがよく用いられる。ハートレー型イメージ除去ミキサは、高周波信号に局部発振器からの直交信号ｓｉｎωｔ、ｃｏｓωｔをそれぞれ掛け合わせる２つの乗算器と、それぞれの乗算器の出力信号を入力するＬＰＦ（Low  Pass  Filter）と、一方のＬＰＦの出力信号を９０°位相シフトさせる移相器と、移相器の出力信号と他方のＬＰＦの出力信号を加算する加算器と、で構成される。
【０００５】
そのほかに、ハートレー型イメージ除去ミキサを用いるヘテロダイン方式の受信機において、ヘテロダイン方式をアッパーヘテロダイン方式とローワヘテロダイン方式に切り替える回路を設け、受信する周波数ごとに、アッパーヘテロダイン方式およびローワヘテロダイン方式のうち、イメージ妨害の少ない方式に切り換える方法も提案されている（例えば、特許文献１参照。）。
【０００６】
ここで、アッパーヘテロダイン方式とは、局部発振器の周波数ｆＬＯＵを所望周波数ｆＤＥよりも中間周波数ｆＩＦの値の分高く設定する方式であり、そのイメージ信号ＩＭＵの周波数ｆＩＭＵは、ｆＩＭＵ＝ｆＬＯＵ＋ｆＩＦとなる。一方、ローワヘテロダイン方式は、局部発振器の周波数ｆＬＯＬを所望周波数ｆＤＥよりも中間周波数ｆＩＦの値の分低く設定する方式であり、そのイメージ信号ＩＭＬの周波数ｆＩＭＬは、ｆＩＭＬ＝ｆＬＯＬ−ｆＩＦとなる。
【０００７】
そこで、アッパーヘテロダイン方式でのイメージ信号ＩＭＵの信号レベルと、ローワヘテロダイン方式でのイメージ信号ＩＭＬの信号レベルと、を検出し、そのレベルの小さい方を受信方式とすれば、イメージ妨害の少ない受信を行うことができる。
【０００８】
上述の特許文献１では、このイメージ信号のレベル検出を、本来、所望信号を受信してイメージ除去を行うハートレー型イメージ除去ミキサにおける加算を減算に変え、所望信号を除去して、逆にイメージ信号を受信し、その出力レベルを検出することによって行っている。
【０００９】
しかし、ＲＦフィルタとイメージ除去ミキサを併用し、ＲＦフィルタをイメージ除去ミキサの前段に接続する場合、イメージ除去ミキサに入力されるイメージ信号のレベルがＲＦフィルタによって減衰されるため、上述の方法では、アッパーヘテロダイン方式でのイメージ信号の信号レベルとローワヘテロダイン方式でのイメージ信号の信号レベルの差を明確に検出できないという問題があった。
【特許文献１】特開２００３−７８４３２号公報  （第４−５ページ、図１）
【発明の開示】
【発明が解決しようとする課題】
【００１０】
そこで、本発明の目的は、ＲＦフィルタとイメージ除去ミキサを併用しても、アッパーヘテロダイン方式受信とローワヘテロダイン方式受信のどちらがイメージ信号のレベルが小さいかを判定できるイメージ信号レベル検出器およびイメージ信号レベル検出方法、イメージ除去受信機を提供することにある。
【課題を解決するための手段】
【００１１】
本発明の一態様によれば、設定された同調周波数の信号を通過させるＲＦフィルタと、設定された発振周波数で発振する局部発振器と、前記ＲＦフィルタの出力信号に前記局部発振器からの直交信号を掛け合わせて受信を希望する所望周波数信号に対するイメージ信号を除去するイメージ除去ミキサと、を備えるヘイメージ除去受信機におけるイメージ信号レベル検出器であって、入力信号をアッパーヘテロダイン方式で受信するかローワヘテロダイン方式で受信するかを指示する受信方式指示部と、前記受信方式指示部の指示にもとづいて前記ＲＦフィルタの同調周波数の設定および前記局部発振器の発振周波数の設定を行う受信制御部と、前記ＲＦフィルタの出力信号に前記局部発振器からの直交信号を前記イメージ除去ミキサとは逆に掛け合わせて前記所望周波数信号を除去する所望周波数信号除去ミキサと、前記所望周波数信号除去ミキサからの出力レベルを検出する第１のレベル検出部と、前記イメージ除去ミキサからの出力レベルを検出する第２のレベル検出部と、前記第１のレベル検出部の出力と前記所第２のレベル検出部の出力との差を検出する差分検出部と、前記受信方式指示部によりアッパーヘテロダイン方式での受信が指示されたときの前記差分検出部の出力を格納する第１のレジスタと、前記受信方式指示部によりローワヘテロダイン方式での受信が指示されたときの前記差分検出部の出力を格納する第２のレジスタと、前記第１のレジスタに格納された値と前記第２のレジスタに格納された値のどちらが小さいかを判定する判定部とを有することを特徴とするイメージ信号レベル検出器が提供される。
【００１２】
また、本発明の一態様によれば、ＲＦフィルタの出力信号が入力されて受信を希望する所望周波数信号に対するイメージ信号を除去するイメージ除去ミキサを備える受信機における、前記所望周波数信号を除去する所望周波数信号除去ミキサを備えるイメージ信号レベル検出器を用いるイメージ信号レベル検出方法であって、前記受信機をアッパーヘテロダイン方式受信に設定するステップと、前記ＲＦフィルタの同調周波数をアッパーヘテロダイン方式受信でのイメージ信号周波数に設定するステップと、前記所望周波数信号除去ミキサからの出力レベルを第１のレベルとして検出し、前記イメージ除去ミキサからの出力レベルを第２のレベルとして検出するステップと、前記第１のレベルと前記第２のレベルの差を検出して第１の差分値として保存するステップと、前記受信機をローワヘテロダイン方式受信に切り換えるステップと、前記ＲＦフィルタの同調周波数をローワヘテロダイン方式受信でのイメージ信号周波数に設定するステップと、前記所望周波数信号除去ミキサからの出力レベルを第３のレベルとして検出し、前記イメージ除去ミキサからの出力レベルを第４のレベルとして検出するステップと、前記第３のレベルと前記所第４のレベルの差を検出して第２の差分値として保存するステップと、前記第１の差分値と前記第２の差分値のどちらが小さいかを判定するステップとを有することを特徴とするイメージ信号レベル検出方法が提供される。
【発明の効果】
【００１３】
本発明によれば、アッパーヘテロダイン方式受信とローワヘテロダイン方式受信のどちらがイメージ信号のレベルが小さいかを判定できるので、イメージ信号レベルの小さい受信方式を選択することができ、イメージ妨害の少ない受信を行うことができる。
【発明を実施するための最良の形態】
【００１４】
以下、本発明の実施例を図面を参照して説明する。
【実施例１】
【００１５】
図１は、本発明の本発明の実施例１に係るイメージ信号レベル検出器の構成の例を示すブロック図である。
【００１６】
本実施例のイメージ信号レベル検出器１は、ＲＦフィルタ１０１およびイメージ除去ミキサ１０３を備えるイメージ除去受信機１００の受信方式をアッパーヘテロダイン方式とローワヘテロダイン方式に切り換えて、どちらの受信方式のイメージ信号レベルが小さいかを判定する。
【００１７】
ここで、イメージ除去受信機１００は、ヘテロダイン方式のイメージ除去受信機の一般的な構成を有し、設定された同調周波数の信号を通過させるＲＦフィルタ１０１と、設定された発振周波数で発振する局部発振器１０２と、ＲＦフィルタ１０１の出力信号に局部発振器１０２からの直交信号を掛け合わせて受信を希望する所望周波数信号に対するイメージ信号を除去するイメージ除去ミキサ１０３と、イメージ除去ミキサ１０３の出力信号から中間周波数の信号を抽出するＩＦフィルタ１０４と、を備える。
【００１８】
イメージ除去ミキサ１０３は、ハートレー型の構成を有し、ＲＦフィルタ１０１から出力される高周波信号に局部発振器１０２からの直交信号ｓｉｎωｔ、ｃｏｓωｔをそれぞれ掛け合わす２つの乗算器１０３１、１０３２と、乗算器１０３１、１０３２の出力信号がそれぞれ入力されるＬＰＦ１０３３、１０３４と、ＬＰＦ１０３３の出力信号を９０°位相シフトさせる移相器１０３５と、移相器１０３５の出力信号とＬＰＦ１０３４の出力信号を加算する加算器１０３６と、を備える。
【００１９】
本実施例のイメージ信号レベル検出器１は、受信方式切り換え信号の入力を受けてアッパーヘテロダイン方式受信とローワヘテロダイン方式受信とするかの指示信号を出力する受信方式指示部１１と、受信方式指示部１１の指示を受けてイメージ除去受信機１００のＲＦフィルタ１０１の同調周波数および局部発振器１０２の発振周波数を制御する受信制御部１２と、受信を希望する所望周波数の信号を除去する所望周波数信号除去ミキサ１３と、所望周波数信号除去ミキサ１３の出力信号から中間周波数の信号を抽出するＩＦフィルタ１４と、ＩＦフィルタ１４の出力信号のレベルを検出するレベル検出部１５と、イメージ除去受信機１００のＩＦフィルタ１０４の出力信号のレベルを検出するレベル検出部１６と、レベル検出部１５の出力とレベル検出部１６の出力との差を検出する差分検出部１７と、受信方式指示部１１によりアッパーヘテロダイン方式での受信が指示されたときの差分検出部１７の出力を格納するレジスタ１８と、受信方式指示部１１によりローワヘテロダイン方式での受信が指示されたときの差分検出部１７の出力を格納するレジスタ１９と、レジスタ１８に格納された値とレジスタ１９に格納された値のどちらが小さいかを判定する判定部２０と、を有する。
【００２０】
所望周波数信号除去ミキサ１３は、イメージ除去受信機１００のＬＰＦ１０３４の出力信号を０°位相シフトさせる移相器１３１と、移相器１３１の出力信号とイメージ除去受信機１００のＬＰＦ１０３３の出力信号を加算する加算器１３２と、を備える。すなわち、所望周波数信号除去ミキサ１３は、ＲＦフィルタ１０１の出力信号に局部発振器１０２からの直交信号をイメージ除去受信機１００のイメージ除去ミキサ１０３とは逆に掛け合わせている。これにより、イメージ除去ミキサ１０３がイメージ信号を除去するのとは逆に、所望周波数信号除去ミキサ１３は、受信を希望する所望周波数信号を除去する。
【００２１】
次に、図２および図３を用いて、本実施例のイメージ信号レベル検出器１により、アッパーヘテロダイン方式受信とローワヘテロダイン方式受信のどちらがイメージ信号のレベルが小さいかを判定する方法について説明する。
【００２２】
図２は、アッパーヘテロダイン方式受信とローワヘテロダイン方式受信のどちらがイメージ信号のレベルが小さいかを判定する方法の手順を示すフロー図である。
【００２３】
イメージ信号レベル検出器１によりイメージ信号レベルを判定するときは、まず、受信方式切り換え信号により受信方式をアッパーヘテロダイン方式に設定する。これを受けて、受信方式指示部１１はアッパーヘテロダイン方式での受信を指示する信号を出力する（ステップＳ０１）。
【００２４】
受信方式指示部１１からの指示を受けると、受信制御部は局部発振器１０２の周波数をアッパーヘテロダイン方式における局部発振周波数に設定するとともに、ＲＦフィルタ１０１の同調周波数をアッパーヘテロダイン方式におけるイメージ信号周波数に設定する（ステップＳ０２）。
【００２５】
これをＲＦフィルタ１０１の周波数特性で図示すると、アッパーヘテロダイン方式での受信のとき、通常は図３（ａ）に示すように受信を希望する所望周波数ｆＤＥの通過レベルを高くし、アッパーヘテロダイン方式における局部発振周波数ｆＬＯＵより中間周波数ＩＦ分高いイメージ信号周波数ｆＩＭＵの通過レベルを減衰させるＲＦフィルタ１０１の周波数特性を、図３（ｂ）に示すようにイメージ信号周波数ｆＩＭＵの通過レベルを高くし、所望周波数ｆＤＥの通過レベルを減衰させるように設定するものである。
【００２６】
このように設定して、レベル検出部１５およびレベル検出部１６の検出レベルをそれぞれ計測する（ステップＳ０３）。
【００２７】
このときのレベル検出部１５の検出レベルをＡ１、レベル検出部１６の検出レベルをＢ１とすると、このＡ１、Ｂ１は、周波数ｆＩＭＵのイメージ信号レベルをＰＩＭＵ、所望周波数ｆＤＥの信号レベルをＰＤＥ、ＲＦフィルタ１０１の所望周波数ｆＤＥの減衰量をＡＴＴＲＦＤＥ、イメージ除去ミキサ１０１３におけるイメージ信号の除去量をＡＴＴＩＭＵ、所望周波数信号除去ミキサ１３における所望周波数信号の除去量をＡＴＴＤＥとして、次のように表わされる。  
Ａ１＝ＰＩＭＵ＋（ＰＤＥ−ＡＴＴＤＥ−ＡＴＴＲＦＤＥ）
Ｂ１＝ＰＤＥ＋（ＰＩＭＵ−ＡＴＴＩＭＵ）
続いて、差分検出部１７により上述のＡ１とＢ１の差分値Ｓ１を求め、この差分値Ｓ１をレジスタ１８に保存する（ステップＳ０４）。
【００２８】
すなわち、差分値Ｓ１は、
Ｓ１＝Ａ１−Ｂ１
と表わされる。この差分値Ｓ１は、アッパーヘテロダイン受信時のイメージ信号と所望周波数信号のレベル差を示す。
【００２９】
続いて、受信方式切り換え信号により受信方式をローワヘテロダイン方式に設定する。これを受けて、受信方式指示部１１はローワヘテロダイン方式での受信を指示する信号を出力する（ステップＳ０５）。
【００３０】
受信方式指示部１１からの指示を受けると、受信制御部は局部発振器１０２の周波数をローワヘテロダイン方式における局部発振周波数に設定するとともに、ＲＦフィルタ１０１の同調周波数をローワヘテロダイン方式におけるイメージ信号周波数に設定する（ステップＳ０６）。
【００３１】
これをＲＦフィルタ１０１の周波数特性で図示すると、図３（ｃ）のようになる。すなわち、ローワヘテロダイン方式における局部発振周波数ｆＬＯＬより中間周波数ＩＦ分低いイメージ信号周波数ｆＩＭＬの通過レベルを高くし、所望周波数ｆＤＥの通過レベルを減衰させるように設定する。
【００３２】
このように設定して、レベル検出部１５およびレベル検出部１６の検出レベルをそれぞれ計測する（ステップＳ０７）。
【００３３】
このときのレベル検出部１５の検出レベルをＡ２、レベル検出部１６の検出レベルをＢ２とすると、このＡ２、Ｂ２は、周波数ｆＩＭＬのイメージ信号レベルをＰＩＭＬ、所望周波数ｆＤＥの信号レベルをＰＤＥ、ＲＦフィルタ１０１の所望周波数ｆＤＥの減衰量をアッパーヘテロダイン方式に設定したときと同様に減衰されるものとしてＡＴＴＲＦＤＥ、イメージ除去ミキサ１０１３におけるイメージ信号の除去量をＡＴＴＩＭＬ、所望周波数信号除去ミキサ１３における所望周波数信号の除去量をＡＴＴＤＥとして、次のように表わされる。  
Ａ２＝ＰＩＭＬ＋（ＰＤＥ−ＡＴＴＤＥ−ＡＴＴＲＦＤＥ）
Ｂ１＝ＰＤＥ＋（ＰＩＭＬ−ＡＴＴＩＭＬ）
続いて、差分検出部１７により上述のＡ２とＢ２の差分値Ｓ２を求め、この差分値Ｓ２をレジスタ１９に保存する（ステップＳ０８）。
【００３４】
すなわち、差分値Ｓ２は、
Ｓ２＝Ａ２−Ｂ２
と表わされる。この差分値Ｓ２は、ローワヘテロダイン受信時のイメージ信号と所望周波数信号のレベル差を示す。
【００３５】
最後に、判定部２０がレジスタ１８に保存された差分値Ｓ１とレジスタ１９に保存された差分値Ｓ２とを読み出し、その差分値Ｓ３を算出し、その正負により、差分値Ｓ１と差分値Ｓ２の大小関係を判定する（ステップＳ０９）。
【００３６】
すなわち、差分値Ｓ３は、
Ｓ３＝Ｓ１−Ｓ２
であり、
Ｓ３＝（Ａ１−Ｂ１）−（Ａ２−Ｂ２）
となる。ここで、所望周波数信号は、アッパーヘテロダイン方式とローワヘテロダイン方式とに受信方式を切り換えても同じレベルが入力されていると考えると、Ｂ１＝Ｂ２とすることができる。したがって、差分値Ｓ３は、
Ｓ３＝Ａ１−Ａ２
＝｛ＰＩＭＵ＋（ＰＤＥ−ＡＴＴＤＥ−ＡＴＴＲＦＤＥ）｝−｛ＰＩＭＬ＋（ＰＤＥ−ＡＴＴＤＥ
−ＡＴＴＲＦＤＥ）｝
＝ＰＩＭＵ−ＰＩＭＬ
となる。
【００３７】
すなわち、差分値Ｓ３は、アッパーヘテロダイン受信時のイメージ信号レベルとローワヘテロダイン受信時のイメージ信号レベルとの差を表す。
【００３８】
したがって、Ｓ３＞０のときはＰＩＭＬ＜ＰＩＭＵ、すなわち、ローワヘテロダイン方式の方がイメージ信号レベルが小さく、Ｓ３＜０のときはＰＩＭＵ＜ＰＩＭＬ、すなわち、アッパーヘテロダイン方式の方がイメージ信号レベルが小さい、と判定することできる。
【００３９】
このような本実施例によれば、アッパーヘテロダイン方式とローワヘテロダイン方式に受信方式を切り換えたときにＲＦフィルタの同調周波数をそれぞれの方式におけるイメージ信号周波数とすること、および所望周波数除去ミキサを設けることにより、ＲＦフィルタとイメージ除去ミキサを併用する受信機であっても、アッパーヘテロダイン方式受信とローワヘテロダイン方式受信のどちらがイメージ信号のレベルが小さいかを判定することができる。
【実施例２】
【００４０】
上述したように、実施例１のイメージ信号レベル検出器１により、アッパーヘテロダイン方式受信とローワヘテロダイン方式受信のどちらがイメージ信号のレベルが小さいかを判定することができる。そこで、本実施例では、このイメージ信号レベル検出器１の判定にもとづいて、アッパーヘテロダイン方式で受信するかローワヘテロダイン方式で受信するかを決定するイメージ除去受信機の例を示す。
【００４１】
図４は、実施例２に係るイメージ除去受信機の構成の例を示すブロック図である。本実施例のイメージ除去受信機２００の基本的な構成は、図１に示したイメージ除去受信機１００と同じである。そこで、図４において、図１に示したブロックと同じ機能を有するブロックには図１と同じ符号を付し、ここでは、その詳細な説明を省略する。
【００４２】
本実施例のイメージ除去受信機２００は、イメージレベル検出器１からの判定出力信号を受けてＲＦフィルタ１０１０の同調周波数および局部発振器１０２の発振周波数を設定する受信方式決定部２０１を有す。
【００４３】
すなわち、受信方式決定部２０１は、イメージ信号レベル検出器１がアッパーヘテロダイン方式の方がイメージ信号レベルが小さいと判定したときは、ＲＦフィルタ１０１０の同調周波数を所望周波数ｆＤＥに設定し、局部発振器１０２の発振周波数をｆＬＯＵに設定する。一方、イメージ信号レベル検出器１がローワヘテロダイン方式の方がイメージ信号レベルが小さいと判定したときは、ＲＦフィルタ１０１０の同調周波数を所望周波数ｆＤＥに設定し、局部発振器１０２の発振周波数をｆＬＯＬに設定する。
【００４４】
なお、本実施例のイメージ除去受信機２００では、受信方式決定部２０１による設定が一旦行われた後も、イメージ信号レベル検出器１に対して受信方式切り換え信号を随時送信する。これを受けて、イメージ信号レベル検出器１は、受信方式指示部１１から出力されるアッパーヘテロダイン方式で受信するかローワヘテロダイン方式で受信するかの指示を随時切り換え、その度に判定部２０による判定を行う。
【００４５】
これにより、イメージ除去受信機２００が自動車などの移動体に搭載されて、その受信環境の変化が大きい場合でも、その受信環境の変化に追随して、受信方式を変更することができる。
【００４６】
このような本実施例によれば、イメージ信号レベル検出器の判定出力にもとづいて、アッパーヘテロダイン方式とローワヘテロダイン方式のうち、イメージ信号のレベルの小さい方式で受信することができる。
【００４７】
また、イメージ信号レベル検出器による判定を随時行うことにより、受信環境の変化に追随して受信方式を変更することができる。
【図面の簡単な説明】
【００４８】
【図１】本発明の実施例１に係るイメージ信号レベル検出器の構成の例を示すブロック図。
【図２】本発明の実施例１におけるイメージ信号レベル検出方法の手順を示すフロー図。
【図３】ＲＦフィルタの同調周波数の設定の様子を示す図。
【図４】本発明の実施例２に係るイメージ除去受信機の構成の例を示すブロック図。
【符号の説明】
【００４９】
１  イメージ信号レベル検出器
１１  受信方式指示部
１２  受信制御部
１３  所望周波数信号除去ミキサ
１４  ＩＦフィルタ
１５  イメージ信号レベル検出部
１６  所望周波数信号レベル検出部
１７  差分検出部
１８、１９  レジスタ
２０  判定部
１３１  移相器
１３２  加算器
２００  イメージ除去受信機
２０１  受信方式決定部
【図１】
2008136106.tif 000003
【図２】
2008136106.tif 000004
【図３】
2008136106.tif 000005
【図４】
2008136106.tif 000006